(57)【要約】【課題】デコケースの底部を一つの部材から成し、この部材の四辺の折り込み板を折り込んで形成したデコケースの組立て紙底板を提供する。【解決手段】底板の後端縁に折り込み板２を設け、後端縁の左右端縁から内側に折り目を設け、折り目の内端箇所から山形の切り込みを設け、折り込み板２の外端縁に折り込み内板４を設け、折り込み内板４の外端縁に折り込み片を設け、底板の前端縁、左端縁及び右端縁にも後端縁と同様の構成を設け、折り込み板２、６、１１、１７を、山形の切り込みの山形片３ａ、７ａ、１２ａ、１８ａを残して折り目により折り上げ、折り込み内板４、８、１４、２０を内側に折り込んで折り込み板２、６、１１、１７と重ねて各側板を形成し、各折り込み内板４、８、１４、２０の外端縁の、予め折り目を介して折り込んだ各折り込み片を底板上に重ねて形成した。【選択図】図１
0003145446.tif 000002
【実用新案登録請求の範囲】
【請求項１】
立方体形状又は直方体形状の、蓋体の開口部内側縁を、四辺に設けた背丈の低い側板外面に嵌めて被せるデコケースの底板において、
四角形状の底板の後端縁に折り込み板を設け、当該底板の後端縁の左右端縁から内側に一定長の箇所まで折り目を夫々設け、前記折り込み板上であって、前記各折り目の内端箇所から略山形の切り込みを設け、前記折り込み板の外端縁に折り目を介して折り込み内板を設け、さらに、当該折り込み内板の外端縁に折り目を介して折り込み片を設け、
前記底板の前端縁、左端縁及び右端縁にも前記後端縁と同様の構成を設け、
前記底板の後端縁、前端縁、左端縁及び右端縁の各折り込み板を、略山形の切り込みによって形成される略山形片を残して折り目により折り上げて夫々立設し、当該各折り込み板の外端縁の各折り込み内板を各折り目により内側に折り込んで前記折り込み板と重ねて後側板、前側板、左側板及び右側板を夫々形成し、
当該各折り込み内板の外端縁の、予め折り目を介して折り込んだ各折り込み片を前記底板上に夫々重ねて形成したことを特徴とする、デコケースの組立て紙底板。
【請求項２】
立方体形状又は直方体形状の、蓋体の開口部内側縁を、四辺に設けた背丈の低い側板外面に嵌めて被せるデコケースの底板において、
四角形状の底板の後端縁に折り込み板を設け、当該底板の後端縁の左右端縁から内側に一定長の箇所まで折り目を夫々設け、前記折り込み板上であって、前記各折り目の内端箇所から略山形の切り込みを設け、前記折り込み板の外端縁に折り目を介して折り込み内板を設け、さらに、当該折り込み内板の外端縁に折り目を介して折り込み片を設け、
前記底板の前端縁にも前記後端縁と同様の構成を設け、
前記底板の左端縁に折り込み板を設け、当該左端縁の前後端縁から内側に一定長の箇所まで折り目を設け、当該折り込み板上であって、前記各折り目の内端箇所から略山形の切り込みを設け、前記折り込み板の外端縁に折り目を介して折り込み内板を設け、当該折り込み内板又は前記折り込み板の前後端縁に折り目を介して折り込み舌片を夫々設け、さらに、当該折り込み内板の外端縁の中央部に折り目を介して一定長の折り込み短片を設け、
前記底板の右端縁にも前記左端縁と同様の構成を設け、
前記底板の左端縁の折り込み板を、略山形の切り込みによって形成される略山形片を残し、折り目により折り上げて折り込み板を立設し、当該折り込み板の折り込み内板を折り目によって内側に折り込んで前記折り込み板と重ねて左側板を形成し、当該折り込み内板又は前記折り込み板の後端の折り込み舌片を折り目により底板側に折り込み、当該折り込み内板の外端縁の、予め折り目を介して折り込んだ折り込み短片を前記底板上に重ね、
前記右端縁の折り込み板、折り込み内板及び折り込み短片を前記左端縁側と同様に設け、
前記底板の後端縁の折り込み板を折り目により折り上げて略山形の切り込みによって形成される略山形片を残して折り込み板を立設し、前記折り込み板の外端縁の折り込み内板を、前記左側板及び右側板の各折り込み内板又は前記折り込み板の後端の折り込み舌片を巻き込んで折り目によって内側に折り込んで前記折り込み板と重ねて後側板を形成し、当該折り込み内板の外端縁の、予め折り目を介して折り込んだ折り込み片を前記底板上に重ね、この時、当該折り込み片の外端縁を前記左側板及び右側板の各折り込み短片の端縁と夫々突き合わせて係合させ、
前記前側板側の折り込み板、折り込み内板及び折り込み片を前記後側板側と同様にして形成したことを特徴とする、デコケースの組立て紙底板。
【請求項３】
前記底板の後端縁、前端縁、左端縁及び右端縁の各折り込み板を台形状に夫々設け、当該各折り込み板を各折り目により当該各折り込み板の上部が内側に傾いた状態に折り上げ、当該各折り込み板の各折り込み内板を折り目により底板に向かって垂直に折り込んで前記各折り込み板を底板上で支持し、
前記後側板、前側板、左側板及び右側板の各外面を上方へ行くに従って内側に傾斜したテーパー形状に設けたことを特徴とする、前記請求項１又は２に記載のデコケースの組立て紙底板。
【請求項４】
前記折り込み板の略山形片を、扁平で外端縁の中央をゆるやかに凹んだ形状に設けたことを特徴とする前記請求項１、２又は３の何れかに記載のデコケースの組立て紙底板。
【請求項５】
前記デコケースの底部とは、別途、前記デコケースの底板より一回り小さい底板であって、その四辺に折り目を介して折り上げ片を設けて成るトレーを形成し、当該トレーを前記底部の上面開口部から底板上に嵌め入れたことを特徴とする前記請求項１、２、３又は４の何れかに記載のデコケースの組立て紙底板。
【考案の詳細な説明】
【技術分野】
【０００１】
この考案は、洋菓子店等において、菓子やその他の食品等の持ち運びに使用される紙箱に関するものであって、特に、デコレーションケーキ等のホールタイプの生菓子を入れて持ち運ぶ、いわゆるデコケースの組立て紙底板に関するものである。
【背景技術】
【０００２】
従来、洋菓子店において、ケーキなどの生菓子を販売する際、持ち運びに便利な紙箱を使用している。この様な紙箱の中に、デコレーションケーキを入れる、いわゆるデコケース（以下、単に『デコケース』と言う）と言うものがある。このデコケースには、上面に把手の付いたキャリータイプと、ケーキ等を載置したトレー式の紙底に上から大きな蓋を被せるいわゆる「フタソコかぶせ式」のものがある。
【０００３】
これまでの「フタソコかぶせ式」のデコケースは、底部が、厚紙から成る平板状の底板とケーキ載置部を形成する外周に周壁を設けた底板の２パーツから成り、前記平板状の底板の上面に前記周壁を設けた底板を糊付けして形成していた。
【特許文献１】実用新案登録第３０７７４８２号
【考案の開示】
【考案が解決しようとする課題】
【０００４】
しかしながら、前記従来のデコケースでは、前述の通り、周壁を設けた底板を折り込んで形成する他、当該周壁を設けた底板と前記厚紙から成る平板状の底板を貼着する工程が必要であり、手間と時間がかかる。
【０００５】
この考案は、この様な状況に鑑みて行われたもので、デコケースの底部を一つの部材から成し、この部材の四辺の折り込み板を折り込んで形成したデコケースの組立て紙底板を提供して前記課題を解決するものである。
【課題を解決するための手段】
【０００６】
請求項１の考案は、立方体形状又は直方体形状の、蓋体の開口部内側縁を、四辺に設けた背丈の低い側板外面に嵌めて被せるデコケースの底板において、四角形状の底板の後端縁に折り込み板を設け、当該底板の後端縁の左右端縁から内側に一定長の箇所まで折り目を夫々設け、前記折り込み板上であって、前記各折り目の内端箇所から略山形の切り込みを設け、前記折り込み板の外端縁に折り目を介して折り込み内板を設け、さらに、当該折り込み内板の外端縁に折り目を介して折り込み片を設け、前記底板の前端縁、左端縁及び右端縁にも前記後端縁と同様の構成を設ける。
【０００７】
前記底板の後端縁、前端縁、左端縁及び右端縁の各折り込み板を、略山形の切り込みによって形成される略山形片を残して折り目により折り上げて夫々立設し、当該各折り込み板の外端縁の各折り込み内板を各折り目により内側に折り込んで前記折り込み板と重ねて後側板、前側板、左側板及び右側板を夫々形成し、当該各折り込み内板の外端縁の、予め折り目を介して折り込んだ各折り込み片を前記底板上に夫々重ねて形成したデコケースの組立て紙底板とした。
【０００８】
請求項２の考案は、立方体形状又は直方体形状の、蓋体の開口部内側縁を、四辺に設けた背丈の低い側板外面に嵌めて被せるデコケースの底板において、四角形状の底板の後端縁に折り込み板を設け、当該底板の後端縁の左右端縁から内側に一定長の箇所まで折り目を夫々設け、前記折り込み板上であって、前記各折り目の内端箇所から略山形の切り込みを設け、前記折り込み板の外端縁に折り目を介して折り込み内板を設け、さらに、当該折り込み内板の外端縁に折り目を介して折り込み片を設け、前記底板の前端縁にも前記後端縁と同様の構成を設ける。
【０００９】
前記底板の左端縁に折り込み板を設け、当該左端縁の前後端縁から内側に一定長の箇所まで折り目を設け、当該折り込み板上であって、前記各折り目の内端箇所から略山形の切り込みを設け、前記折り込み板の外端縁に折り目を介して折り込み内板を設け、当該折り込み内板又は前記折り込み板の前後端縁に折り目を介して折り込み舌片を夫々設け、さらに、当該折り込み内板の外端縁の中央部に折り目を介して一定長の折り込み短片を設け、前記底板の右端縁にも前記左端縁と同様の構成を設ける。
【００１０】
前記底板の左端縁の折り込み板を、略山形の切り込みによって形成される略山形片を残し、折り目により折り上げて折り込み板を立設し、当該折り込み板の折り込み内板を折り目によって内側に折り込んで前記折り込み板と重ねて左側板を形成し、当該折り込み内板又は前記折り込み板の後端の折り込み舌片を折り目により底板側に折り込み、当該折り込み内板の外端縁の、予め折り目を介して折り込んだ折り込み短片を前記底板上に重ね、前記右端縁の折り込み板、折り込み内板及び折り込み短片を前記左端縁側と同様に設ける。
【００１１】
前記底板の後端縁の折り込み板を折り目により折り上げて略山形の切り込みによって形成される略山形片を残して折り込み板を立設し、前記折り込み板の外端縁の折り込み内板を、前記左側板及び右側板の各折り込み内板又は前記折り込み板の後端の折り込み舌片を巻き込んで折り目によって内側に折り込んで前記折り込み板と重ねて後側板を形成し、当該折り込み内板の外端縁の、予め折り目を介して折り込んだ折り込み片を前記底板上に重ね、この時、当該折り込み片の外端縁を前記左側板及び右側板の各折り込み短片の端縁と夫々突き合わせて係合させ、  前記前側板側の折り込み板、折り込み内板及び折り込み片を前記後側板側と同様にして形成したデコケースの組立て紙底板とした。
【００１２】
請求項３の考案は、前記底板の後端縁、前端縁、左端縁及び右端縁の各折り込み板を台形状に夫々設け、当該各折り込み板を各折り目により当該各折り込み板の上部が内側に傾いた状態に折り上げ、当該各折り込み板の各折り込み内板を折り目により底板に向かって垂直に折り込んで前記各折り込み板を底板上で支持し、前記後側板、前側板、左側板及び右側板の各外面を上方へ行くに従って内側に傾斜したテーパー形状に設けた前記請求項１又は２に記載のデコケースの組立て紙底板とした。
【００１３】
請求項４の考案は、前記折り込み板の略山形片を、扁平で外端縁の中央をゆるやかに凹んだ形状に設けた前記請求項１、２又は３の何れかに記載のデコケースの組立て紙底板とした。
【００１４】
請求項５の考案は、前記デコケースの底部とは、別途、前記デコケースの底板より一回り小さい底板であって、その四辺に折り目を介して折り上げ片を設けて成るトレーを形成し、当該トレーを前記底部の上面開口部から底板上に嵌め入れた前記請求項１、２、３又は４の何れかに記載のデコケースの組立て紙底板とした。
【考案の効果】
【００１５】
請求項１の考案によれば、デコケースの紙底板を一つの部材で設け、各折り込み板等を、予め設けた折り目に従って、ただ折り込むだけで、容易に形成出来るので、作業性が良い。また、この紙底板の四辺には、略山形片を突設しているので、直方体形状で底面が開口した蓋を当該紙底板に被せた際、前記略山形片の上面上に夫々載置でき、当該蓋を安定した状態で被せ、維持することが出来る。また、この紙底板は、見た目も良く、この紙底板にデコレーションケーキ等を載置した状態で、ショーケース内に飾ることも出来、販売の際には、蓋を被せて容易に顧客に渡すことが出来、便利である。
【００１６】
請求項２の考案によれば、後側板と前側板を形成する際、左側板と右側板の両側端の折り込み舌片を巻き込んで折り込んで形成したので、また、底板の前後端縁の各折り込み内板の外端縁に折り込み片を設け、底板の左右端縁の各折り込み内板の外端縁に折り込み短片を設け、この紙底板を組み立てた際、この紙底板の底板上で前記前後端縁の折り込み片の外端縁と前記左右端縁の折り込み短片の端縁を夫々突き合って係合させたので、前記後側板、前側板、左側板及び右側板を確実かつ強固に形成することが出来る。
【００１７】
請求項３の考案によれば、前記後側板、前側板、左側板及び右側板の各折り込み板を台形状に夫々設け、前記後側板、前側板、左側板及び右側板の各外面を上方へ行くに従って内側に傾斜したテーパー形状としたので、この紙底板に蓋を被せる際、容易に被せることが出来る。また、前記各側板は、夫々傾斜した折り込み板と垂直な折り込み内板と底板とで断面三角形状の板体を形成するので強固となる。
【００１８】
請求項４の考案によれば、前記折り込み板の略山形片を、扁平で外端縁の中央をゆるやかに凹んだ形状に設けたので、紙底板に蓋を被せた状態で、底板の四辺の略中央から各略山形片が突出し、当該各略山形片の凹んだ個所にリボンを掛ければ、リボンがずれることがなく、安定して係止される。また、デコレーションケーキ等をこの紙底板に載置した状態で、両手で持つ際、左右の手の親指を各略山形片の凹んだ個所に夫々当てて持てば、安定して持つことが出来、便利である。
【００１９】
請求項５の考案によれば、前記デコケースの底部とは、別途、前記デコケースの底板より一回り小さい底板であって、その四辺に折り目を介して折り上げ片を設けて成るトレーを形成し、当該トレーを前記底部の上面開口部から底板上に嵌め入れることとしたので、当該トレーを嵌め入れた紙底板に載置されたデコレーションケーキ等を当該紙底板から取り出す場合、このトレーの折り上げ片を左右から持って当該トレーごとデコレーションケーキを紙底板から取り出すようにすれば、容易に取り出すことが出来、便利である。また、このトレーを嵌め入れた紙底板は、より見た目も良く、トレーを嵌め入れた紙底板にデコレーションケーキ等を載置した状態で、ショーケース内に飾ることも出来、販売の際には、蓋を被せて容易に顧客に渡すことが出来、便利である。
【考案を実施するための最良の形態】
【００２０】
立方体形状又は直方体形状の、蓋体の開口部内側縁を、四辺に設けた背丈の低い側板外面に嵌めて被せるデコケースの底板において、四角形状の底板の後端縁に折り込み板を設け、当該底板の後端縁の左右端縁から内側に一定長の箇所まで折り目を夫々設け、前記折り込み板上であって、前記各折り目の内端箇所から略山形の切り込みを設け、前記折り込み板の外端縁に折り目を介して折り込み内板を設け、さらに、当該折り込み内板の外端縁に折り目を介して折り込み片を設け、前記底板の前端縁、左端縁及び右端縁にも前記後端縁と同様の構成を設ける。
【００２１】
前記底板の後端縁、前端縁、左端縁及び右端縁の各折り込み板を、略山形の切り込みによって形成される略山形片を残して折り目により折り上げて夫々立設し、当該各折り込み板の外端縁の各折り込み内板を各折り目により内側に折り込んで前記折り込み板と重ねて後側板、前側板、左側板及び右側板を夫々形成し、当該各折り込み内板の外端縁の、予め折り目を介して折り込んだ各折り込み片を前記底板上に夫々重ねて形成した
【００２２】
これにより、デコケースの紙底板を一つの部材で設け、各折り込み板等を、予め設けた折り目に従って、ただ折り込むだけで、容易に形成出来るので、作業性が良い。
【実施例１】
【００２３】
以下、この考案の実施例１を図に基づいて説明する。
図１は、この考案の実施例の紙底板の上にトレーを嵌め入れた状態の斜視図である。図２は、同紙底板の展開図である。図３は、この考案の実施例のトレーの展開図である。図４及び図５は、この考案の実施例の紙底板の折り込み板、折り込み内板、折り込み片等を折り目を介して折り込んで組み立てている状態の一部斜視図である。図６は、この考案の実施例の紙底板を組み立てた状態の断面図である。図７は、この考案の実施例の紙底板の一部平面図である。図８は、この考案の紙底板に立方体形状で底面が開口した蓋を被せた状態の斜視図である。
【００２４】
この実施例の組立て紙底板Ａを説明する。
この組立て紙底板Ａは、図２に示すように、正方形状の底板１の後端縁に台形状の折り込み板２を設け、前記後端縁の左右端縁から内側に一定長の箇所まで折り目ａを夫々設け、前記折り込み板２上であって、前記各折り目ａの内端箇所から、扁平で外端縁の中央がゆるやかに凹んだ山形の切り込み３を設けている。前記折り込み板２の外端縁に折り目ｂを介して折り込み内板４を設け、この折り込み内板４の外端縁に折り目ｃを介して折り込み片５を設けている。
【００２５】
前記底板１の前端縁は、前記後端縁と同様の構成となっている。つまり、底板１の前端縁に台形状の折り込み板６を設け、前記前端縁の左右端縁から内側に一定長の箇所まで折り目ｄを夫々設け、前記折り込み板６上であって、前記各折り目ｄの内端箇所から、扁平で外端縁の中央がゆるやかに凹んだ山形の切り込み７を設けている。前記折り込み板６の外端縁に折り目ｅを介して折り込み内板８を設け、この折り込み内板８の外端縁に折り目ｆを介して折り込み片９を設けている。
【００２６】
前記底板１の左端縁に台形状の折り込み板１１を設け、前記左端縁の前後端縁から内側に一定長の箇所まで折り目ｇを夫々設け、前記折り込み板１１上であって、前記各折り目ｇの内端箇所から、扁平で外端縁の中央がゆるやかに凹んだ山形の切り込み１２を設けている。前記折り込み板１１の前後の端縁に斜めの折り目ｈを介して略三角形状の折り込み舌片１３を夫々設けている。前記折り込み板１１の外端縁に折り目ｉを介して折り込み内板１４を設け、この折り込み内板１４の前後の端縁に折り目ｊを介して四角形状の折り込み舌片１５を夫々設けている。前記折り込み内板１４の外端縁の中央部に折り目ｋを介して一定長の折り込み短片１６を設けている。
【００２７】
前記底板１の右端縁は、前記左端縁と同様の構成となっている。つまり、前記底板１の右端縁に台形状の折り込み板１７を設け、前記右端縁の前後端縁から内側に一定長の箇所まで折り目ｍを夫々設け、前記折り込み板１７上であって、前記各折り目ｍの内端箇所から、扁平で外端縁の中央がゆるやかに凹んだ山形の切り込み１８を設けている。前記折り込み板１７の前後の端縁に斜めの折り目ｎを介して略三角形状の折り込み舌片１９を夫々設けている。前記折り込み板１７の外端縁に折り目ｏを介して折り込み内板２０を設け、この折り込み内板２０の前後の端縁に折り目ｐを介して四角形状の折り込み舌片２１を夫々設けている。前記折り込み内板２０の外端縁の中央部に折り目ｑを介して一定長の折り込み短片２２を設けている。
【００２８】
さらに、この紙底板Ａの上面の開口部から嵌め入れるトレー３０を図３に基づいて説明する。このトレー３０は、前記デコケースの底板１より一回り小さい正方形状の底板３１であって、その四辺に折り目ｒを介して扁平で外端縁の中央がゆるやかに凹んだ山形の折り上げ片３２を設けている。これらの折り上げ片３２のうち一方の相対向するものの略中央には横長で曲がった透孔３３を設けている。
【００２９】
次に、この紙底板Ａを組み立てる。図４に示すように、前記底板１の左端縁の折り込み板１１の前後の各折り込み舌片１３を折り目ｈを介して内側に略直角に夫々折り上げ、図５に示すように、折り込み板１１を山形の切り込み１２によって形成される略山形片１２ａを水平にしたまま、当該折り込み板１１を折り目gにより折り上げて当該折り込み板１１の上部が内側に傾いた状態で、各折り込み舌片１３の一側端縁を底板１に当接させて折り込み板１１を支持する。
【００３０】
さらに、折り込み内板１４の前後の各折り込み舌片１５を折り目ｊを介して略直角に外側に夫々折り込み、続いて、折り込み内板１４を折り目ｉによって、前記前後の各折り込み舌片１３の間を、底板側に折り込み、前後の各折り込み舌片１５の一側端縁を底板１に当接させて折り込み内板１４を垂直に立てて支持する。この時、前記各折り込み舌片１３と各折り込み舌片１５とはほぼ重なる。
【００３１】
この様にして、図６に示すように、折り込み板１１と折り込み内板１４とで、外面が上方へ行くに従って内側に傾斜したテーパー形状である、断面直角三角形状の左側板を形成する。その際、これと同時に前記折り込み短片１６を折り目ｋによって折り上げて前記底板１上に重ねる。
【００３２】
前記底板１の右端縁も前記左端縁側と同様に折り込んで右側板を形成する。すなわち、前記底板１の右端縁の折り込み板１７の前後の各折り込み舌片１９を折り目ｎを介して内側に略直角に夫々折り上げ、折り込み板１７を山形の切り込み１８によって形成される略山形片１８ａを水平にしたまま、当該折り込み板１７を折り目ｍにより折り上げて当該折り込み板１７の上部が内側に傾いた状態で、各折り込み舌片１９の一側端縁を底板１に当接させて折り込み板１７を支持する。
【００３３】
さらに、折り込み内板２０の前後の各折り込み舌片２１を折り目ｐを介してを略直角に外側に夫々折り込み、続いて、折り込み内板１７を折り目ｏによって前記前後の折り込み舌片１９の間を、底板側に折り込み、前後の各折り込み舌片２１の一側端縁を底板１に当接させて折り込み内板２０を垂直に立てて支持する。この時、前記各折り込み舌片１９と各折り込み舌片２１とはほぼ重なる。
【００３４】
この様にして折り込み板１７と折り込み内板２０とで、外面が上方へ行くに従って内側に傾斜したテーパー形状である、断面直角三角形状の右側板を形成する。その際、これと同時に前記折り込み短片２２を折り目ｑによって折り上げて前記底板１上に重ねる。
【００３５】
また、前記底板１の後端縁の折り込み板２の略山形の切り込み３によって形成される略山形片３ａを水平にしたまま、当該折り込み板２を折り目ａにより折り上げて上部が内側に傾斜した状態で立設する。また、この折り込み板２の折り込み内板４を、前記左側板及び右側板の折り込み板１１、１７の後端の折り込み舌片１３、１９及び折り込み内板１４、２０の後端の折り込み舌片１５、２１を夫々巻き込んで折り目ｂによって内側に折り込んで垂直に立て、前記折り込み板２とで、外面が上方へ行くに従って内側に傾斜したテーパー形状である、断面直角三角形状の後側板を形成する。
【００３６】
これと同時に、当該折り込み内板４の外端縁の折り込み片５を折り目ｃによって折り上げて前記底板１上に重ねる。この時、当該折り込み片５の左右の外端縁は、前記左側板の折り込み短片１６及び前記右側板の折り込み短片２２の各端縁と突き合って係合した状態にする（図７では、その左側を示す。右側は図示省略）。
【００３７】
前記底板１の前端縁側も前記後端縁側と同様に折り込んで形成する。すなわち、前記底板１の前端縁の折り込み板６の略山形の切り込み７によって形成される略山形片７ａを水平にしたまま、当該折り込み板６を折り目ｄにより折り上げて上部が内側に傾斜した状態で立設する。また、この折り込み板６の折り込み内板８を、前記左側板及び右側板の折り込み板１１、１７の前端の折り込み舌片１３、１９及び折り込み内板１４、２０の前端の折り込み舌片１５、２１を夫々巻き込んで折り目ｅによって内側に折り込んで垂直に立て、前記折り込み板６とで、上方へ行くに従って、外面が内側に傾斜したテーパー形状である、断面直角三角形状の前側板を形成する。
【００３８】
これと同時に、当該折り込み内板８の外端縁の折り込み片９を折り目ｆによって折り上げて前記底板１上に重ねる。この時、当該折り込み片９の左右の外端縁は、前記左側板の折り込み短片１６及び前記右側板の折り込み短片２２の各端縁と突き合って係合した状態にする。
【００３９】
以上により、紙底板Ａは形成される。
この後、紙底板Ａに嵌め入れたトレー３０の上にデコレーションケーキを載置し、この上から、立方体形状で底面が開口した紙蓋Ｂを被せ、この紙蓋Ｂの四辺の底縁部の内側縁を、前記前側板、後側板、左側板及び右側板の各側板の外面に嵌めて、この紙底板Ａの四辺に水平に突出した状態にある各略山形片３ａ、７ａ、１２ａ、１８ａの上面上に夫々載置する。また、ここで用いられる蓋Ｂは、特別な構成を有するものではなく、既に公知のものである。
【００４０】
デコレーションケーキを取り出す際は、まず、紙蓋Ｂを紙底Ａから外し、さらに、トレー３０の相対向する透孔３３に手を入れて持ち上げ、当該トレー３０ごとケーキを紙底Ａからテーブル上に取り出し、そこで、折り上げ片３２を平に戻して、ケーキをカットすることが出来る。
【００４１】
この紙底板Ａの四辺の略山形片３ａ、７ａ、１２ａ、１８ａを、扁平で外端縁の中央がゆるやかに凹んだ形状に設けているので、紙底板Ａに蓋を被せ、当該各略山形片３ａ、７ａ、１２ａ、１８ａの凹んだ個所にリボンを掛ければ、リボンがずれることがなく、安定して係止される。また、この紙底板Ａにケーキを載置した状態で、左右の相対向する当該略山形片の凹んだ個所に沿って両手の指を掛けて持てば、安定した状態でこの紙底板Ａを把持することが出来る。
【００４２】
また、後側板、前側板、左側板、右側板を設けるのに、前記左側板及び右側板の折り込み板１１、１７の前後端の折り込み舌片１３、１９及び折り込み内板１４、２０の前後端の折り込み舌片１５、２１を、折り込み板２の折り込み内板４や折り込み板６の折り込み内板８で折り込み、夫々巻き込んで形成しているため、後側板、前側板、左側板及び右側板を互いに強く連結させて、強固な各側板を形成している。
【００４３】
前記実施例では、後側板、前側板、左側板及び右側板を形成する構成として、具体的に記載しているが、後側板等を形成する構成としては、これに限るものではなく、本願考案が実施出来るものならば良い。また、後側板や前側板を設けるのに、折り込み板２の折り込み内板４や折り込み板６の折り込み内板８を折り込むのに、前記左側板及び右側板の折り込み板１１、１７の前後端の折り込み舌片１３、１９及び折り込み内板１４、２０の前後端の折り込み舌片１５、２１を夫々巻き込んで形成しているが、折り込み舌片１３等は必ずしも必用ではなく、また、折り込み舌片１３、１９又は折り込み舌片１５、２１のどちらか一方だけでも良い。
【００４４】
また、略山形片３ａ、７ａ、１２ａ、１８ａを扁平で外端縁の中央がゆるやかに凹んだ山形に設けているが、略山形片の形状としては、これに限るものでなく、被せられた蓋を確実に支持出来、当該デコレーションケーキ等を載置して容易に持ち運びできるものならば他の形状でももちろん良い。さらに、トレー３０は必ずしも必用ではなく、無くても良い。
【図面の簡単な説明】
【００４５】
【図１】この考案の実施例の紙底板の上にトレーを嵌め入れた状態の斜視図である。
【図２】この考案の実施例の紙底板の展開図である。
【図３】この考案の実施例のトレーの展開図である。
【図４】この考案の実施例の紙底板の折り込み板、折り込み内板、折り込み片等を折り目を介して折り込んで組み立てている状態の一部斜視図である。
【図５】この考案の実施例の紙底板の折り込み板、折り込み内板、折り込み片等を折り目を介して折り込んで組み立てている状態の一部斜視図である。
【図６】この考案の実施例の紙底板を組み立てた状態の断面図である。
【図７】この考案の実施例の紙底板の一部平面図である。
【図８】この考案の紙底板に立方体形状で底面が開口した蓋を被せた状態の斜視図である。
【符号の説明】
【００４６】
Ａ    紙底板            Ｂ    蓋  
１    底板              ２    折り込み板          ３    切り込み
４    折り込み内板      ５    折り込み片          ６    折り込み板
７    切り込み          ８    折り込み内板        ９    折り込み片
１１    折り込み板      １２    切り込み          １３    折り込み舌片
１４    折り込み内板    １５    折り込み舌片      １６    折り込み短片
１７    折り込み板      １８    切り込み          １９    折り込み舌片
２０    折り込み内板    ２１    折り込み舌片      ２２    折り込み短片
３０    トレー          ３１    底板              ３２    折り上げ片
３３    透孔
【図１】
0003145446.tif 000003
【図２】
0003145446.tif 000004
【図３】
0003145446.tif 000005
【図４】
0003145446.tif 000006
【図５】
0003145446.tif 000007
【図６】
0003145446.tif 000008
【図７】
0003145446.tif 000009
【図８】
0003145446.tif 000010